(57)【要約】【課題】  無線オーディオシステムにおいて、無線スピーカの回転操作によって音声信号を切り替える。【解決手段】  無線オーディオセンタに入力された音声信号を無線スピーカに伝送して再生する無線オーディオシステムにおいて、前記無線スピーカは、ジャイロセンサによって回転操作に伴うロール角を計測し当該ロール角に応じた制御信号を前記無線オーディオセンタに送信し、前記無線オーディオセンタは、前記無線スピーカから受信した制御信号に応じて前記無線スピーカに出力する音声信号を切り替える。【選択図】    図１
2014176070.tif 000002
【特許請求の範囲】
【請求項１】
無線伝送される音声信号を受信する音声信号受信部と、前記音声信号受信部が受信した音声信号を復調する音声処理部と、前記音声処理部が復調した音声信号を音響変換して出力するスピーカ部と、ロール角を計測するジャイロセンサと、外部機器との間の制御信号を送受信する制御信号送受信部と、前記ジャイロセンサが計測したロール角に基づいて制御信号を前記制御信号送受信部によって送信し、前記制御信号送受信部が受信した制御信号に対応して制御動作を行う制御部とを備えることを特徴とする無線スピーカ。
【請求項２】
複数の音声信号入力端子と、前記音声信号入力端子から入力された音声信号の種類に応じて送信フォーマットに変換する音声信号処理部と、前記音声信号処理部によって信号処理された音声信号を無線スピーカに送信する送信部と、前記送信部の送信先となる無線スピーカの識別データと前記音声信号入力端子の対応を記憶する記憶部と、前記無線スピーカとの間で制御信号を送受信する制御信号送受信部と、前記制御信号送受信部が受信した制御信号及び識別データに基づいて、前記送信部から前記無線スピーカに送信する音声信号を切替え制御する制御部とを備えることを特徴とする無線オーディオセンタ。
【請求項３】
無線スピーカと、無線オーディオセンタとを備える無線オーディオシステムであって、前記無線スピーカは、前記無線オーディオセンタからの音声信号を受信する音声信号受信部と、前記音声信号受信部が受信した音声信号を復調する音声処理部と、前記音声処理部が復調した音声信号を音響変換して出力するスピーカ部と、ロール角を計測するジャイロセンサと、前記無線オーディオセンタとの間の制御信号を送受信する制御信号送受信部と、予め設定された識別データを記憶し、前記ジャイロセンサが計測したロール角に基づいて制御信号を前記制御信号送受信部によって送信し、前記制御信号送受信部が受信した制御信号に対応して制御動作を行う制御部とを備え、前記無線オーディオセンタは、複数の音声信号入力端子と、前記音声信号入力端子から入力された音声信号の種類に応じて送信フォーマットに変換する音声信号処理部と、前記音声信号処理部によって信号処理された音声信号を前記無線スピーカに送信する送信部と、前記送信部の送信先となる前記無線スピーカの識別データと前記音声信号入力端子の対応を記憶する記憶部と、前記無線スピーカとの間で制御信号を送受信する制御信号送受信部と、前記制御信号送受信部が受信した制御信号及び識別データに基づいて、前記送信部から前記無線スピーカに送信する音声信号を切替え制御する制御部とを備えることを特徴とする無線オーディオシステム。
【発明の詳細な説明】
【技術分野】
【０００１】
本発明は、ジャイロセンサを含むリモートコントロール機能を備えた無線スピーカ、無線スピーカに入力する音声信号を管理する無線オーディオセンタ、および、前記の無線スピーカ及び無線オーディオセンタによって構成される無線オーディオシステムに関する。
【背景技術】
【０００２】
従来から、複数の部屋で同時に別々の音声入力を出力するマルチゾーン機能が搭載されたオーディオ製品が知られている（非特許文献１参照）。
【０００３】
また、無線機能を備え、複数の入力をスピーカ側のつまみの操作によって切り替えられるオーディオ製品が知られている（非特許文献２参照）。
【０００４】
さらに、映像装置において、Ｘ軸、Ｙ軸、Ｚ軸加速度センサからなる運動検出部と、運動検出部の情報を一時的に保存する記憶部、記憶部へ運動検出部の情報を参照、書き込みし、制御信号生成の命令を発生させる制御部、制御部からの命令で制御信号を発生させ、赤外線送信部へ信号を送る制御信号生成部からなるリモートコントローラを有し、このリモートコントローラのロール角と連動して映像装置へ表示されたメニュアイコンが回転し、項目選択を行うことができる装置があった（特許文献１参照）。
【先行技術文献】
【特許文献】
【０００５】
【特許文献１】特開２０１０−１５７９３０号公報
【非特許文献】
【０００６】
【非特許文献１】株式会社ディーアンドエムホールディングス、“ＡＶＲ−３３１３”、［ｏｎｌｉｎｅ］、［平成２４年９月２６日検索］、インターネット＜ＵＲＬ：ｈｔｔｐ：／／ｗｗｗ．ｄｅｎｏｎ．ｊｐ／ｊｐ／Ｐｒｏｄｕｃｔ／Ｐａｇｅｓ／Ｐｒｏｄｕｃｔ−Ｄｅｔａｉｌ．ａｓｐｘ？ＣａｔＩｄ＝９４３５６２５ａ−ｃｃ７０−４０ｅ３−９３１９−ｄ８ｅ２ｄｂ０９ｄｅ１ｆ＆ＳｕｂＩｄ＝１８１ｃｅｅ５８−９５２ａ−４１３５−９６９ａ−ｅ２ｄ２ｄｆ６ａ４６２２＆ＰｒｏｄｕｃｔＩｄ＝ＡＶＲ−３３１３＃．ＵＧＪＦＶ６５ｋ６ｙＡ＞
【非特許文献２】オンキョー株式会社、“ＧＸ−Ｗ１００ＨＶ”、［ｏｎｌｉｎｅ］、［平成２４年９月２６日検索］、インターネット＜ＵＲＬ：ｈｔｔｐ：／／ｗｗｗ．ｊｐ．ｏｎｋｙｏ．ｃｏｍ／ｐｃａｕｄｉｏ／ｐｏｗｅｒｅｄｓｐｅａｋｅｒ／ｇｘｗ１００ｈｖ／ｉｎｄｅｘ．ｈｔｍ＞
【発明の概要】
【発明が解決しようとする課題】
【０００７】
しかしながら、前記非特許文献１に記載のオーディオ製品では、スピーカとの接続が有線で行われるため、配線の取り回し作業が生じてしまう。このように有線で繋がれたスピーカは、自由に移動をすることが困難で、例えば、リビングのスピーカを気軽にキッチンへ持っていって音楽等を楽しみたいといった用途には、使用することができないことがあった。
また、マルチゾーン機能によりスピーカを複数の部屋に割り当てて使用することができるが、ある部屋で割り当てたスピーカを別の部屋のサラウンドスピーカに割り当てて使用したい、といった場合にも、そのための配線の取り回し作業と製品の設定作業が生じてしまっていた。
【０００８】
前記非特許文献２に記載のオーディオ製品では、有線接続入力と無線接続入力を、本体のつまみを操作することにより切り替えることができる。しかしながら、複数の無線接続入力の切り替えには、接続しているパソコンの操作が必要となり、スピーカ側の操作のみでは解決することができなかった。
【０００９】
また、前記特許文献１に記載の装置は、運動検出部を含むリモートコントローラにより、映像機器が遠隔操作されるというものであり、本発明の、運動検出部を備えたスピーカ、および、複数のスピーカ接続状態を記憶する記憶部を備えたオーディオセンタと連携する機能を備えるシステムとは、構成、目的が異なるものである。
【００１０】
この発明は、以上のような課題を解決するためになされたものであり、無線スピーカ、無線オーディオセンタ、および、無線オーディオシステムにおいて、複数のオーディオ信号を入力できるオーディオセンタに対して、出力信号の選択を、スピーカ側の簡単な操作だけで行えるようにすることを目的とする。
【課題を解決するための手段】
【００１１】
本発明に係る無線スピーカは、無線伝送される音声信号を受信する音声信号受信部と、前記音声信号受信部が受信した音声信号を復調する音声処理部と、前記音声処理部が復調した音声信号を音響変換して出力するスピーカ部と、ロール角を計測するジャイロセンサと、外部機器との間の制御信号を送受信する制御信号送受信部と、前記ジャイロセンサが計測したロール角に基づいて制御信号を前記制御信号送受信部によって送信し、前記制御信号送受信部が受信した制御信号に対応して制御動作を行う制御部とを備える。
【００１２】
本発明に係る無線オーディオセンタは、複数の音声信号入力端子と、前記音声信号入力端子から入力された音声信号の種類に応じて送信フォーマットに変換する音声信号処理部と、前記音声信号処理部によって信号処理された音声信号を無線スピーカに送信する送信部と、前記送信部の送信先となる無線スピーカの識別データと前記音声信号入力端子の対応を記憶する記憶部と、前記無線スピーカとの間で制御信号を送受信する制御信号送受信部と、前記制御信号送受信部が受信した制御信号及び識別データに基づいて、前記送信部から前記無線スピーカに送信する音声信号を切替え制御する制御部とを備える。
【００１３】
本発明に係る無線オーディオシステムは、無線スピーカと、無線オーディオセンタとを備える無線オーディオシステムであって、前記無線スピーカは、前記無線オーディオセンタからの音声信号を受信する音声信号受信部と、前記音声信号受信部が受信した音声信号を復調する音声処理部と、前記音声処理部が復調した音声信号を音響変換して出力するスピーカ部と、ロール角を計測するジャイロセンサと、前記無線オーディオセンタとの間の制御信号を送受信する制御信号送受信部と、予め設定された識別データを記憶し、前記ジャイロセンサが計測したロール角に基づいて制御信号を前記制御信号送受信部によって送信し、前記制御信号送受信部が受信した制御信号に対応して制御動作を行う制御部とを備え、前記無線オーディオセンタは、複数の音声信号入力端子と、前記音声信号入力端子から入力された音声信号の種類に応じて送信フォーマットに変換する音声信号処理部と、前記音声信号処理部によって信号処理された音声信号を前記無線スピーカに送信する送信部と、前記送信部の送信先となる前記無線スピーカの識別データと前記音声信号入力端子の対応を記憶する記憶部と、前記無線スピーカとの間で制御信号を送受信する制御信号送受信部と、前記制御信号送受信部が受信した制御信号及び識別データに基づいて、前記送信部から前記無線スピーカに送信する音声信号を切替え制御する制御部とを備える。
【発明の効果】
【００１４】
本発明の無線スピーカによれば、無線スピーカ本体を回転させる操作によって、外部機器を制御するための制御信号を送信することができる。
本発明の無線オーディオセンタによれば、複数の音声信号入力を外部無線スピーカに割り当てて送信することができる。
本発明の無線オーディオシステムによれば、複数の音声信号入力を備えた無線オーディオセンタから出力する音声信号を、無線スピーカ本体を回転させる操作によって、選択することができる。
【図面の簡単な説明】
【００１５】
【図１】本発明の無線オーディオシステムの全体の実施の形態に係る構成を示すブロック図である。
【図２】図１のオーディオセンタ１の構成を示すブロック図である。
【図３】図１の無線スピーカ２の外観を示す斜視図である。
【図４】図１の無線スピーカ２の構成を示すブロック図である。
【図５】本発明の実施の形態に係る無線スピーカ２の制御フローを示すフローチャートである。
【図６】本発明の実施の形態に係るオーディオセンタ１の制御フローを示すフローチャートである。
【図７】本発明の実施の形態に係るオーディオセンタ１の入力端子とスピーカＩＤの対応テーブルの一例を説明するための図である。
【発明を実施するための形態】
【００１６】
本発明に係る実施の形態について、以下、図面を参照して詳細に説明する。なお、以下に示す実施の形態は一例であり、本発明は、これに限定されない。
図１は、本発明の無線スピーカシステムの全体の実施の形態に係る構成を示すブロック図である。
図１に示す無線オーディオシステム１００は、オーディオセンタ１と、操作ボタンを含まない無線スピーカ２ａ、２ｂ、２ｃと、音声信号を記録媒体等から再生する再生装置３ａ、３ｂ、３ｃから構成される。再生装置３a、３ｂ、３ｃは、オーディオセンタ１に接続され、無線スピーカ２ａ、２ｂ、２ｃは、オーディオセンタ１との間で無線通信を行う。オーディオセンタ１は、再生装置３ａ、３ｂ、３ｃによって再生される音声信号を選択し、無線スピーカ２ａ、２ｂ、２ｃに出力する。
【００１７】
図２は、図１のオーディオセンタ１の構成を示すブロック図である。オーディオセンタ１において、三つの入力端子Ａ１１ａ、Ｂ１１ｂ、Ｃ１１ｃには、図１の３台の再生装置３ａ、３ｂ、３ｃが、それぞれ接続されている。再生装置によって再生された音声信号は、それぞれの入力端子Ａ１１a、Ｂ１１ｂ、Ｃ１１ｃに入力され、それぞれ音声処理部Ａ１２ａ、音声処理部Ｂ１２ｂ、音声処理部Ｃ１２ｃに送られ、それぞれの音声信号の種類に対応した各種の音声処理、送信データフォーマットへの変換等が行われる。音声処理部Ａ１２ａ、Ｂ１２ｂ、Ｃ１２ｃは、それぞれ音声信号送信部Ａ１３ａ、音声信号送信部Ｂ１３ｂ、音声信号送信部Ｃ１３ｃに接続され、音声処理部Ａ１２ａ、Ｂ１２ｂ、Ｃ１２ｃによって音声処理された音声信号は、それぞれ、音声信号送信部Ａ１３ａ、Ｂ１３ｂ、Ｃ１３ｃによって、無線信号として送出される。
【００１８】
制御信号送受信部１４は、無線スピーカ２（２ａ、２ｂ、２ｃ）との間で、制御信号及びスピーカＩＤの送受信を行う。このスピーカＩＤは、各無線スピーカを識別するため、無線スピーカ毎に異なるスピーカＩＤ＝１、２、３、・・・等の番号が各々設定される。制御信号送受信部１４が受信した制御信号は、制御部１５に入力される。制御部１５は、受信した制御信号に基づいて、制御信号送受信部１４、記憶部１６の制御を行う。記憶部１６は、制御部１５に接続されていて、無線スピーカ２の識別データ（スピーカＩＤ）と入力端子１１ａ、１１ｂ、１１ｃそれぞれとの対応関係を記憶する。
【００１９】
図３は、図１の無線スピーカ２（２ａ、２ｂ、２ｃ）の外観を示す斜視図である。３台の無線スピーカ２ａ、２ｂ、２ｃには、共通の外観、構成を備える無線スピーカ２が用いられている。無線スピーカ２は、音声を出力するスピーカ２３、動作状況等を表すデータを表示する表示部２７（２７ａ、２７ｂ、２７ｃ、２７ｄ、２７ｅ、２７ｆ）を備えている。
【００２０】
図４は、図１の無線スピーカ２（２ａ、２ｂ、２ｃ）の構成を示すブロック図である。無線スピーカ２において、音声信号受信部２１は、オーディオセンタ１の音声信号送信部１３ａ、１３ｂ、または１３ｃから送出された音声信号を受信する。音声処理部２２は、ＤＡＣ(Digital to Analog Convertor)やＤＳＰ(Digital Signal Processor)から成り、音声信号受信部２１が受信した音声信号のＤＡ変換、ディジタル信号処理等を行う。スピーカ部２３は、音声処理部２２からの音声信号を音声に変換して出力する。
ジャイロセンサ２４は、無線スピーカ２のロール角（回転角）を計測する。制御部２５は、ジャイロセンサ２６が計測したロール角を取得し制御信号に変換して、制御信号送受信部２６によって送信し、さらに、音声信号受信部２１、表示部２７を制御する。また、制御部２５は、予め設定された識別データ（スピーカＩＤ）を記憶する。制御信号送受信部２７は、制御部２５の制御信号及びスピーカＩＤの送受信を行う。この表示部２７は、図３に示す外観に表れている表示部２７ａ、２７ｂ、２７ｃ、２７ｄ、２７ｅ、２７ｆとして構成されている。
【００２１】
図５は、無線スピーカ２の制御フローの一実施例を示すフローチャートである。図５において、まず、ユーザが無線スピーカ２のロール角を操作する（ステップＳ１）。ロール角操作とは、図２において、無線スピーカ２を、Ａ方向（時計回り）または、Ｂ方向（反時計回り）に回転させる操作を意味する。制御部２４は、その回転操作に伴うロール角をジャイロセンサにより取得し（ステップＳ２）、取得したロール角から無線スピーカ２の入力ソースとなっている再生装置（１１a、１１b、１１c）と対応する値の割り出しを行い（ステップＳ３）、その値に応じて当該入力ソースに対応するように、表示部２７の点灯箇所の切り替え（ステップＳ４）、音声受信信号の切り替え（ステップＳ５）を行う。
図３において６か所ある表示部２７ａ、２７ｂ、２７ｃ、２７ｄ、２７ｅ、２７ｆは、回転操作による置き方に応じて、いずれかの表示部２７（２７ａ、２７ｂ、２７ｃ、２７ｄ、２７ｅ、２７ｆ）が表示されるように、制御部２５によって切り替えられる。ここで、制御部２５は、例えば、回転操作によって一番上に位置した表示部２７（図３では２７ａ）を表示するように切り替える。
【００２２】
ここで、オーディオセンタ１から入力端子と接続スピーカの対応テーブル情報（以降、これをスピーカ対応テーブルと称する。図７参照）を取得する（ステップＳ６、Ｓ７）。
図７のスピーカ対応テーブルでは、スピーカＩＤ＝２の無線スピーカ２には入力端子Ａ１１ａからの音声信号が送信され、スピーカＩＤ＝１、スピーカＩＤ＝３の無線スピーカ２には入力端子Ｂ１１ｂからの音声信号が送信され、入力端子Ｃ１１ｃからの音声信号はいずれの無線スピーカにも送信されないよう、割り当て設定されている。
【００２３】
全ての入力端子に対して無線スピーカ２の接続が割り当てられていなければ（ステップＳ８）、フロントレフト（前方左側）スピーカとして音声出力するように動作する（ステップＳ９）。１つの無線スピーカ２が既に割り当てられて接続されていた場合（ステップＳ１１）、次の割り当て先として、フロントライト（前方右側）スピーカとして音声出力するように動作する（ステップＳ１２）。
また既に２つの無線スピーカ２が割り当てられて接続されていた場合は（ステップＳ１３）、新たに接続されたもう一つの無線スピーカ２は、その次の割り当て先として、サブウーファとして低周波数域音声を出力するように動作する（ステップＳ１４）。
無線スピーカ２の状態が、（ステップＳ９）、（ステップＳ１２）、（ステップＳ１４）のいずれかにより変更された場合は、オーディオセンタ１の対応テーブルを更新する必要があるため接続情報の送信を行う（ステップＳ１０）。
【００２４】
図６は、オーディオセンタ１の制御フローの一実施例を示すフローチャートである。図６において、オーディオセンタ１は、無線スピーカ２からスピーカ対応テーブルを要求する制御信号を受信すると（ステップＳ２１でＹ）、記憶部１６から、スピーカ対応テーブルを読み出し、入力端子とスピーカＩＤの対応情報を要求先の無線スピーカ２（２ａ、２ｂ、または、２ｃ）へ送信する（ステップＳ２２）。
無線スピーカ２から対応情報を要求する制御信号を受信せず（ステップＳ２１でＮ）、スピーカの接続情報を受信すると（ステップＳ２３でＹ）、記憶部１６の対応情報を最新の状態へ更新して終了する（ステップＳ２４）。スピーカの接続情報を受信しなかった場合（ステップＳ２３でＮ）、終了する。
【００２５】
以上説明したように、本発明の実施の形態では、複数の無線スピーカが個々の音声信号入力端子設定を持つことになり、オーディオセンタ１は、複数の入力端子からの音声信号をそれぞれ無線で送信する。このことにより、無線スピーカごとに別々の音声信号を出力することができ、あるいは、一つの入力端子に複数のスピーカを集約することにより、マルチチャンネルサラウンドを楽しむことも可能となるなどの、極めて優れた効果が得られる。
【００２６】
なお、上記実施の形態では、本発明を最大２．１ｃｈのサラウンドシステムに適用した場合について説明した。しかし、これに限らず、本発明は、最大５．１ｃｈのサラウンドシステム等、ｃｈ数を変更したシステムとしても適用可能である。入力端子の数においてもさらに増やして実施することが可能である。
【符号の説明】
【００２７】
１   オーディオセンタ
２、２ａ、２ｂ、２ｃ   無線スピーカ
３ａ、３ｂ、３ｃ   再生装置
１１ａ  入力端子Ａ
１１ｂ  入力端子Ｂ
１１ｃ  入力端子Ｃ
１２ａ  音声処理部Ａ
１２ｂ  音声処理部Ｂ
１２ｃ  音声処理部Ｃ
１３ａ  音声信号送信部Ａ
１３ｂ  音声信号送信部Ｂ
１３ｃ  音声信号送信部Ｃ
１４  制御信号送受信部
１５  制御部
１６  記憶部
２１  音声信号受信部
２２  音声処理部
２３  スピーカ部
２４  ジャイロセンサ
２５  制御部
２６  制御信号送受信部
２７、２７ａ、２７ｂ、２７ｃ、２７ｄ、２７ｅ、２７ｆ  表示部
【図１】
2014176070.tif 000003
【図２】
2014176070.tif 000004
【図３】
2014176070.tif 000005
【図４】
2014176070.tif 000006
【図５】
2014176070.tif 000007
【図６】
2014176070.tif 000008
【図７】
2014176070.tif 000009